(57)【要約】    【課題】  配線基板内での信号の流れを単純化し、信号品質を向上させると共にシステム試験装置用接続装置の電気的特性を向上させる。    【解決手段】  筐体１の正面パネル１１に被試験器接続用コネクタ４が設けられ、前記筐体の背面パネル１３に測定器用コネクタ５が設けられ、前記筐体の内部に前記正面パネルに沿って被試験器側Ｉ／Ｏ基板１７が設けられ、前記背面パネルに沿って汎用測定器側Ｉ／Ｏ基板６が設けられ、前記被試験器側Ｉ／Ｏ基板と前記汎用測定器側Ｉ／Ｏ基板との間にバックボード２が設けられ、該バックボードは配線基板用コネクタを有し、正面側から配線基板が装脱可能に構成され、前記被試験器側Ｉ／Ｏ基板を介して前記被試験器接続用コネクタと前記配線基板とがケーブル１８により接続可能であり、前記測定器用コネクタと前記配線基板とが前記汎用測定器側Ｉ／Ｏ基板を介してケーブル１９により接続可能とした。    【選択図】          図１
2007035983.tif 000002
【特許請求の範囲】
【請求項１】
筐体の正面パネルに被試験器接続用コネクタが設けられ、前記筐体の背面パネルに測定器用コネクタが設けられ、前記筐体の内部に前記正面パネルに沿って被試験器側Ｉ／Ｏ基板が設けられ、前記背面パネルに沿って汎用測定器側Ｉ／Ｏ基板が設けられ、前記被試験器側Ｉ／Ｏ基板と前記汎用測定器側Ｉ／Ｏ基板との間にバックボードが設けられ、該バックボードは配線基板用コネクタを有し、正面側から配線基板が装脱可能に構成され、前記被試験器側Ｉ／Ｏ基板を介して前記被試験器接続用コネクタと前記配線基板とがケーブルにより接続可能であり、前記測定器用コネクタと前記配線基板とが前記汎用測定器側Ｉ／Ｏ基板を介してケーブルにより接続可能としたことを特徴とするシステム試験装置用接続装置。
【発明の詳細な説明】
【技術分野】
【０００１】
本発明は、各種電気的性能、特性を試験する為、被試験装置と各種測定器とを接続する為のシステム試験装置用接続装置に関するものである。
【背景技術】
【０００２】
電子機器の各種電気的性能を試験する為、例えばＡＦ信号増幅回路、低周波回路、高周波回路、シリアル信号処理回路、パラレル信号処理回路等、各種回路の機能を試験する為に、被試験器に試験用の制御信号、或はデータ信号、例えば擬似音声信号、高周波信号等が入力され、更に被試験器からの出力信号は各種汎用測定器、例えば低周波分析器、オシロスコープ等に入力され、波形等が検査される。
【０００３】
擬似音声信号を出力する擬似音声発生器、高周波信号を発する高周波信号発生器等はシステム試験装置用接続装置を介して被試験器に接続され、又被試験器と各種汎用測定器も前記システム試験装置用接続装置を介して接続される様になっている。
【０００４】
従来のシステム試験装置用接続装置について、図７〜図１２により説明する。
【０００５】
先ず、図７に於いて信号系統について説明する。尚、図７〜図１２には信号系統以外の例えば電源系統等は図示を省略している。
【０００６】
図７中、１はシステム試験装置用接続装置１０の筐体であり、筐体１内にはバックボード２が設けられ、該バックボード２には配線基板用のコネクタ（図示せず）が所要数実装され、該コネクタには制御回路用基板３-1、シリアル入出力回路用基板３-2、…、ＡＦ信号入力回路用基板３-n等の配線基板が装着される様になっている。
【０００７】
前記筐体１の正面には被試験器接続用のコネクタ、例えばユニバーサルコネクタ４が設けられ、該ユニバーサルコネクタ４は被試験器側Ｉ／Ｏ基板（図示せず）に接続され、該被試験器側Ｉ／Ｏ基板（図示せず）と前記バックボード２とはケーブル（図示せず）によって接続されている。又、前記筐体１の背面には測定器接続用のコネクタ５が設けられ、該コネクタ５は汎用測定器側Ｉ／Ｏ基板６（図８参照）に接続され、該汎用測定器側Ｉ／Ｏ基板６と前記バックボード２とはケーブル（図示せず）によって接続されている。
【０００８】
而して、被試験器（図示せず）をケーブル（図示せず）を介して前記ユニバーサルコネクタ４に接続し、測定器をケーブル（図示せず）を介して前記コネクタ５に接続することで、前記システム試験装置用接続装置１０を介して被試験器の性能試験が行われる様になっている。
【０００９】
又、性能試験の内容に応じた配線基板が前記バックボード２に装脱される。
【００１０】
次に、図８〜図１２に於いて、図７で示したシステム試験装置用接続装置１０の構造について説明する。
【００１１】
前記筐体１はラック（図示せず）等にレールを介して出入れ可能に収納され、正面パネル１１が螺子（図示せず）によりラックに固着されることで、前記システム試験装置用接続装置１０がラックに取付けられる様になっている。
【００１２】
前記筐体１の底面には前記バックボード２が取付けられ、該バックボード２には所要数の配線基板用コネクタ（図示せず）が実装され、又前記バックボード２には前記配線基板用コネクタを収納する基板収納ケース１２が取付けられている。該基板収納ケース１２の側面には配線基板用にガイドレール（図示せず）が設けられ、該ガイドレールに沿って上方から配線基板を挿入することで、該配線基板が前記配線基板用コネクタに挿入される。
【００１３】
前記正面パネル１１には前記ユニバーサルコネクタ４が設けられ、背面パネル１３には前記コネクタ５が設けられ、上記した様に前記ユニバーサルコネクタ４と前記バックボード２、前記コネクタ５と前記バックボード２とはそれぞれケーブルによって接続されている。
【００１４】
図１２は配線基板３を示しており、基板の挿入端にはコネクタ１４が設けられ、該コネクタ１４がバックボード２側のコネクタと結合する様になっている。又、１５は梃子作用で前記コネクタ１４とバックボード２側のコネクタとの結合を解除するレバーである。
【００１５】
前記システム試験装置用接続装置１０に於ける、信号の流れについて説明すると、前記コネクタ５側から試験用信号が入力されると、前記バックボード２の汎用測定器側Ｉ／Ｏ基板６を経て所要の配線基板３に入力され、該配線基板３で信号処理された後、前記被試験器側Ｉ／Ｏ基板を経て前記ユニバーサルコネクタ４から被試験器に出力される様になっている。
【００１６】
又、被試験器側から出力される信号の流れも、同様に前記ユニバーサルコネクタ４、前記被試験器側Ｉ／Ｏ基板（図示せず）、所要の配線基板３、前記汎用測定器側Ｉ／Ｏ基板６、及び前記コネクタ５を経て所要の試験器に出力される様になっている。
【００１７】
上記した従来のシステム試験装置用接続装置１０では、前記制御回路用基板３-1、シリアル入出力回路用基板３-2、…、ＡＦ信号入力回路用基板３-n等の配線基板での信号の流れは、入出力が前記コネクタ１４を介して行われるので、配線基板３内で信号がＵターンする等複雑な流れ状態となっている。この為、入力側信号と出力側信号との干渉を避ける必要がある等配線基板３に形成する回路上の制限が生じていた。
【００１８】
更に、前記バックボード２に試験内容に応じた配線基板３を装脱することができるが、該配線基板３の装脱は、前記筐体１を引出し、更に天板を取外して上方からの作業となる為、作業性が悪いという問題があった。
【発明の開示】
【発明が解決しようとする課題】
【００１９】
本発明は斯かる実情に鑑み、配線基板内での信号の流れを単純化し、信号品質を向上させると共にシステム試験装置用接続装置の電気的特性を向上させるものである。
【課題を解決するための手段】
【００２０】
本発明は、筐体の正面パネルに被試験器接続用コネクタが設けられ、前記筐体の背面パネルに測定器用コネクタが設けられ、前記筐体の内部に前記正面パネルに沿って被試験器側Ｉ／Ｏ基板が設けられ、前記背面パネルに沿って汎用測定器側Ｉ／Ｏ基板が設けられ、前記被試験器側Ｉ／Ｏ基板と前記汎用測定器側Ｉ／Ｏ基板との間にバックボードが設けられ、該バックボードは配線基板用コネクタを有し、正面側から配線基板が装脱可能に構成され、前記被試験器側Ｉ／Ｏ基板を介して前記被試験器接続用コネクタと前記配線基板とがケーブルにより接続可能であり、前記測定器用コネクタと前記配線基板とが前記汎用測定器側Ｉ／Ｏ基板を介してケーブルにより接続可能としたシステム試験装置用接続装置に係るものである。
【発明の効果】
【００２１】
本発明によれば、筐体の正面パネルに被試験器接続用コネクタが設けられ、前記筐体の背面パネルに測定器用コネクタが設けられ、前記筐体の内部に前記正面パネルに沿って被試験器側Ｉ／Ｏ基板が設けられ、前記背面パネルに沿って汎用測定器側Ｉ／Ｏ基板が設けられ、前記被試験器側Ｉ／Ｏ基板と前記汎用測定器側Ｉ／Ｏ基板との間にバックボードが設けられ、該バックボードは配線基板用コネクタを有し、正面側から配線基板が装脱可能に構成され、前記被試験器側Ｉ／Ｏ基板を介して前記被試験器接続用コネクタと前記配線基板とがケーブルにより接続可能であり、前記測定器用コネクタと前記配線基板とが前記汎用測定器側Ｉ／Ｏ基板を介してケーブルにより接続可能としたので、システム試験装置用接続装置内での信号の流れが一方向流れとなり、単純化され、信号品質が向上し、システム試験装置用接続装置の電気的特性を向上するという優れた効果を発揮する。
【発明を実施するための最良の形態】
【００２２】
以下、図面を参照しつつ本発明を実施する為の最良の形態を説明する。
【００２３】
尚、図１〜図６中、図７〜図１２中で示したものと同等のものには同符号を付してある。
【００２４】
先ず、図１に於いて信号系統について説明する。尚、図１〜図６には信号系統以外の例えば電源系統等は図示を省略している。
【００２５】
筐体１内に正面パネル１１、背面パネル１３と平行に、又底面に対して垂直にバックボード２が設けられている。該バックボード２の正面側には配線基板用のコネクタ（図示せず）が所要数実装され、該コネクタには制御回路用基板３-1、シリアル入出力回路用基板３-2、…、ＡＦ信号入力回路用基板３-n等の所要の配線基板３が正面側から装脱可能となっている。
【００２６】
前記正面パネル１１に沿って被試験器側Ｉ／Ｏ基板１７が設けられ、該被試験器側Ｉ／Ｏ基板１７と前記正面パネル１１に設けられたユニバーサルコネクタ４とが接続されている。前記背面パネル１３に沿って汎用測定器側Ｉ／Ｏ基板６が設けられ、該汎用測定器側Ｉ／Ｏ基板６と背面パネル１３に設けられたコネクタ５が接続されている。
【００２７】
該被試験器側Ｉ／Ｏ基板１７と前記配線基板３とがケーブル１８によって接続可能となっており、又前記配線基板３と前記汎用測定器側Ｉ／Ｏ基板６とがケーブル１９によって接続可能となっている。
【００２８】
本実施の形態では上記構成となっているので、被試験器２１と測定器（図示せず）とは、前記ユニバーサルコネクタ４、前記被試験器側Ｉ／Ｏ基板１７、前記配線基板３、前記汎用測定器側Ｉ／Ｏ基板６、前記コネクタ５を介して接続され、信号の流れは直線的となる。従って、信号の流れが単純になり、信号間の干渉等が避けられ、信号の品質が向上する。
【００２９】
図２〜図６に於いて、図１で示したシステム試験装置用接続装置１０の構造について説明する。
【００３０】
前記筐体１の略中央には、基板収納ケース１２が設けられ、該基板収納ケース１２が正面、背面が開放された構造となっており、該基板収納ケース１２の背面にはバックボード２が取付けられ、該バックボード２には正面側から配線基板用コネクタ２２が実装され、背面側からはケーブル用コネクタ２３が実装されている。該ケーブル用コネクタ２３と前記配線基板用コネクタ２２とは前記バックボード２に形成された配線（図示せず）によって接続されている。
【００３１】
前記基板収納ケース１２の上面、底面にはガイドレール（図示せず）が設けられ、該ガイドレールに沿って前記配線基板３が正面側から装脱可能となっている。該配線基板３は図６に示される様に、前記配線基板用コネクタ２２と結合可能なコネクタ１４が背面端に設けられていると共に正面端にはケーブル用コネクタ２４、及びレバー１５が設けられている。
【００３２】
前記基板収納ケース１２の正面側には左右に掛渡り、基板ガード２５がボルト等の固着具により取外し可能に設けられ、該基板ガード２５は挿入された前記配線基板３の抜脱を防止する。
【００３３】
前記筐体１は正面が開放された構造となっており、該筐体１の正面に蝶番２６を介して開閉可能に前記正面パネル１１が設けられ、該正面パネル１１の閉状態では抜け止螺子２７等により正面パネル１１に固定可能となっている。又、前記正面パネル１１と前記筐体１間には屈伸可能なステー２８が設けられ、該ステー２８により前記正面パネル１１の開放が制限されている。
【００３４】
前記正面パネル１１の背面側に前記被試験器側Ｉ／Ｏ基板１７が設けられ、該被試験器側Ｉ／Ｏ基板１７の正面側にユニバーサルコネクタ４が接続され、前記被試験器側Ｉ／Ｏ基板１７の背面側にはケーブル用コネクタ２９が実装されている。該ケーブル用コネクタ２９と前記ユニバーサルコネクタ４とは前記被試験器側Ｉ／Ｏ基板１７に形成された配線（図示せず）によって接続されている。
【００３５】
前記背面パネル１３の正面側に前記汎用測定器側Ｉ／Ｏ基板６が設けられ、該汎用測定器側Ｉ／Ｏ基板６の背面側に前記コネクタ５が接続され、該汎用測定器側Ｉ／Ｏ基板６の正面側にはケーブル用コネクタ３１が実装され、該ケーブル用コネクタ３１と前記コネクタ５とは前記汎用測定器側Ｉ／Ｏ基板６に形成された配線（図示せず）によって接続されている。
【００３６】
前記ケーブル用コネクタ２３と前記ケーブル用コネクタ３１とはケーブル３２によって接続される。
【００３７】
前記配線基板３の実装は前記正面パネル１１を開放した状態で行われる。
【００３８】
試験内容に応じた配線基板３が前記基板収納ケース１２に正面側から挿入され、挿入後は基板ガード２５が前記基板収納ケース１２の正面側に取付けられる。
【００３９】
前記ケーブル用コネクタ２９と所要箇所の前記ケーブル用コネクタ２４がケーブル３３によって接続される。前記筐体１内部の接続が完了すると、前記正面パネル１１が閉じられ、前記抜け止螺子２７によって前記正面パネル１１が前記筐体１に固定される。
【００４０】
前記ユニバーサルコネクタ４に前記被試験器２１がケーブル（図示せず）を介して接続され、前記コネクタ５に試験器（図示せず）がケーブル（図示せず）を介して接続される。
【００４１】
試験時の信号の流れは、前記ユニバーサルコネクタ４から前記コネクタ５に向って直線的、一方向の流れとなり、信号間の干渉による劣化等が防止され、信号品質の向上、システム試験装置用接続装置１０の電気的特性の向上が図れる。
【００４２】
又、前記配線基板３の装脱、交換は、前記正面パネル１１を開くのみで作業が行え、保守作業等が容易となる。
【００４３】
（付記）
又、本発明は以下の実施の態様を含む。
【００４４】
（付記１）筐体の正面パネルに被試験器接続用コネクタが設けられ、前記筐体の背面パネルに測定器用コネクタが設けられ、前記筐体の内部に前記正面パネルに沿って被試験器側Ｉ／Ｏ基板が設けられ、前記背面パネルに沿って汎用測定器側Ｉ／Ｏ基板が設けられ、前記被試験器側Ｉ／Ｏ基板と前記汎用測定器側Ｉ／Ｏ基板との間にバックボードが設けられ、該バックボードは正面側から配線基板が装脱可能に構成され、前記被試験器側Ｉ／Ｏ基板を介して前記被試験器接続用コネクタと前記配線基板とがケーブルにより接続可能であり、前記測定器用コネクタと前記配線基板とが前記汎用測定器側Ｉ／Ｏ基板を介してケーブルにより接続可能としたことを特徴とするシステム試験装置用接続装置。
【００４５】
（付記２）前記被試験器側Ｉ／Ｏ基板は前記正面パネルに設けられ、該正面パネルは前記筐体に開閉可能に設けられ、正面パネル開放時には前記バックボードの正面が開放される付記１のシステム試験装置用接続装置。
【００４６】
（付記３）前記被試験器側Ｉ／Ｏ基板に第１ケーブル用コネクタが設けられると共に配線基板の正面側に第２ケーブル用コネクタが設けられ、前記第１ケーブル用コネクタと第２ケーブル用コネクタとがケーブルにより着脱可能に接続され、又はバックボードに第３ケーブル用コネクタが設けられ、前記汎用測定器側Ｉ／Ｏ基板に第４ケーブル用コネクタが設けられ、前記第３ケーブル用コネクタと第４ケーブル用コネクタとがケーブルにより着脱可能に接続された付記１のシステム試験装置用接続装置。
【図面の簡単な説明】
【００４７】
【図１】本発明の実施の形態に於ける信号系統図である。
【図２】本発明の実施の形態に係るシステム試験装置用接続装置の天板を外した平面図である。
【図３】該システム試験装置用接続装置の正面図である。
【図４】該システム試験装置用接続装置の背面図である。
【図５】図２のＡ−Ａ矢視図である。
【図６】本発明の実施の形態に於ける配線基板を示す図である。
【図７】従来のシステム試験装置用接続装置に於ける信号系統図である。
【図８】従来のシステム試験装置用接続装置の天板を外した平面図である。
【図９】従来のシステム試験装置用接続装置の正面図である。
【図１０】従来のシステム試験装置用接続装置の背面図である。
【図１１】図８のＢ−Ｂ断面図である。
【図１２】従来例に於ける配線基板を示す図である。
【符号の説明】
【００４８】
１              筐体
２              バックボード
３              配線基板
４              ユニバーサルコネクタ
５              コネクタ
６              汎用測定器側Ｉ／Ｏ基板
１０            システム試験装置用接続装置
１１            正面パネル
１２            基板収納ケース
１３            背面パネル
１４            コネクタ
１５            レバー
１７            被試験器側Ｉ／Ｏ基板
１８            ケーブル
１９            ケーブル
２３            ケーブル用コネクタ
２４            ケーブル用コネクタ
２９            ケーブル用コネクタ
３１            ケーブル用コネクタ
【図１】
2007035983.tif 000003
【図２】
2007035983.tif 000004
【図３】
2007035983.tif 000005
【図４】
2007035983.tif 000006
【図５】
2007035983.tif 000007
【図６】
2007035983.tif 000008
【図７】
2007035983.tif 000009
【図８】
2007035983.tif 000010
【図９】
2007035983.tif 000011
【図１０】
2007035983.tif 000012
【図１１】
2007035983.tif 000013
【図１２】
2007035983.tif 000014